(57)【要約】【課題】湯水の散水範囲を広げることができるとともに、湯水による肌当たりを優しくして使用感を向上させることができるシャワーヘッドにおける散水構造を提供する。【解決手段】シャワーヘッド本体１１の吐水側には、面板部材１７が被嵌されている。この面板部材１７の外周部には湯水を散水する複数のシャワー孔１８が開口されている。面板部材１７の内面にはシャワー孔１８に対して湯水を接線方向に流入させて旋回させる湯水導入部１９が設けられている。前記シャワー孔１８の中心軸線は、面板部材１７の中心軸線に対して面板部材１７の外面側ほど面板部材１７の外周側に位置するように傾斜されている。そして、シャワー孔１８から吐出される湯水の散水範囲を広げるように構成されている。【選択図】図１
2015208527.tif 000002
【特許請求の範囲】
【請求項１】
シャワーヘッド本体の吐水側に設けられた面板部材には湯水を散水する複数のシャワー孔を開口し、面板部材の内面にはシャワー孔に対して湯水を接線方向に流入させて旋回させる湯水導入部を設けるとともに、前記シャワー孔の中心軸線を面板部材の中心軸線に対して面板部材の外面側ほど面板部材の外周側に位置するように傾斜させ、前記シャワー孔の外端部の周囲には湯水の散水範囲を規制する規制面を形成したシャワーヘッドにおける散水構造。
【請求項２】
前記面板部材の中心軸線に対するシャワー孔の中心軸線の傾斜角度は３〜１０°に設定されている請求項１に記載のシャワーヘッドにおける散水構造。
【請求項３】
前記シャワー孔は、面板部材の外面側ほど狭くなるテーパ状に形成されている請求項１又は請求項２に記載のシャワーヘッドにおける散水構造。
【請求項４】
前記シャワーヘッド本体と面板部材との間にはリング部材を介装し、該リング部材の面板部材側の面にはシャワー孔に間隙を形成して入り込む突出部を備えた請求項１から請求項３のいずれか１項に記載のシャワーヘッドにおける散水構造。
【請求項５】
前記リング部材の各突出部間には、湯水を面板部材内面の湯水導入部へ供給する湯水供給孔を開口した請求項４に記載のシャワーヘッドにおける散水構造。
【請求項６】
前記面板部材のシャワー孔より外周部には、前記シャワー孔から散水される湯水を保温するための複数の吐水孔を開口した請求項１から請求項５のいずれか１項に記載のシャワーヘッドにおける散水構造。
【発明の詳細な説明】
【技術分野】
【０００１】
本発明は、例えば浴室、シャワー室等において使用され、湯、水又は湯水混合水（以下、総称して湯水という）をミスト状にして吐出することができるシャワーヘッドにおける散水構造に関する。
【背景技術】
【０００２】
浴室等で使用されるミスト発生装置が特許文献１に開示されている。すなわち、このミスト発生装置は、湯水をノズルチップ内で旋回させることにより、湯水がミスト状になって吐出される。そして、この特許文献１においては、ノズルチップ内の流路及びノズル口がノズルチップの中心軸線方向を指向するように形成されている。このため、湯水はノズルチップの中心軸線方向に吐出されるようになっている。
【先行技術文献】
【特許文献】
【０００３】
【特許文献１】特開２００８−２００２６０号公報
【発明の概要】
【発明が解決しようとする課題】
【０００４】
前述したように特許文献１に記載されているミスト発生装置においては、ノズルチップの流路及びノズル口がノズルチップの中心軸線に沿って延びるように構成されている。このため、湯水がノズル口から肌に対して真っ直ぐに当たるように吐出される。従って、その湯水は肌に強く当たることから、シャワーの使用感が悪いという欠点があった。さらに、シャワーとしての湯水の散水範囲が狭くなることから、体の広い範囲に散水することができない。
【０００５】
そこで本発明の目的とするところは、湯水の散水範囲を広げることができるとともに、湯水による肌当たりを優しくして使用感を向上させることができるシャワーヘッドにおける散水構造を提供することにある。
【課題を解決するための手段】
【０００６】
上記の目的を達成するために、本発明のシャワーヘッドにおける散水構造は、シャワーヘッド本体の吐水側に設けられる面板部材には湯水を散水する複数のシャワー孔を開口し、面板部材の内面にはシャワー孔に対して湯水を接線方向に流入させて旋回させる湯水導入部を設けるとともに、前記シャワー孔の中心軸線を面板部材の中心軸線に対して面板部材の外面側ほど面板部材の外周側に位置するように傾斜させ、前記シャワー孔の外端部の周囲には、湯水の散水範囲を規制する規制面を形成したものである。
【０００７】
このように構成すれば、シャワー孔に対して湯水が接線方向に旋回されながら流入される。このため、シャワー孔から吐出される湯水が広がってミスト状になる。さらに、シャワー孔の中心軸線を面板部材の中心軸線に対して面板部材の外面側ほど面板部材の外周側に位置するように傾斜させた。このため、シャワー孔から散水される湯水の散水方向を面板部材の外周方向へ斜めに設定することができる。従って、肌に対してシャワーとして散水される湯水の面積を広げることができ、肌当たりを弱めることができる。また、前記シャワー孔の外端部の周囲には、環状の規制面が形成されている。従って、湯水の散水範囲が広がり過ぎないように規制することができる。
【発明の効果】
【０００８】
本発明のシャワーヘッドにおける散水構造によれば、シャワーの散水範囲を広げることができるとともに、肌当たりを優しくして使用感を向上させることができるという効果を奏する。
【図面の簡単な説明】
【０００９】
【図１】実施形態におけるシャワーヘッドの構造を、面板部材の内面が見えるように分解して示す斜視図。
【図２】シャワーヘッドの構造を、面板部材の外面が見えるように分解して示す斜視図。
【図３】シャワーヘッドを示す要部断面図。
【図４】シャワーヘッドの面板部材の内面を示す正面図。
【図５】面板部材内面の湯水導入部を拡大して示す正面図。
【図６】シャワーヘッドの面板部材を拡大して示す断面図。
【図７】面板部材のシャワー孔及びその関連部分を示す拡大図。
【図８】シャワーヘッドの面板部材のシャワー孔を拡大して示す断面図。
【図９】シャワーヘッドのリング部材を示す正面図。
【図１０】図９の１０−１０線における断面図。
【発明を実施するための形態】
【００１０】
以下、本発明の実施形態を図１〜図７に基づいて詳細に説明する。
図１〜図３に示すように、シャワーヘッド１０のシャワーヘッド本体（以下、本体という）１１は把持部１２を有するとともに、その内部には湯水を流通させる流路１３が形成されている。本体１１の前部には止水ボタン１４が設けられ、該止水ボタン１４を操作することにより、流路１３を開閉できるようになっている。本体１１の先端部には、前記流路１３に連通する複数の連通路１５が形成されている。
【００１１】
図１〜図３に示すように、前記本体１１の先端部の吐水側には、面板部材１７が嵌合されている。図６に示すように、前記面板部材１７の外周部には外周壁１７１が形成されるとともに、その外周壁１７１の内側に内周壁１７２が間隔をおいて形成されている。図６及び図７に示すように、外周壁１７１の内周側には外周段部１７３が形成されるとともに、内周壁１７２の外周側には内周段部１７４が形成され、それらの段部１７３，１７４の間に流路１７５が形成されている。内外の段部１７３，１７４間において、面板部材１７には、湯水を散水する複数のシャワー孔１８が周方向に一定間隔をおいて円環状に配列されている。
【００１２】
図６及び図７に示すように、外周段部１７３及び内周段部１７４には前記流路１７５内の湯水を前記シャワー孔１８の接線方向に案内するための案内壁１７６が形成されている。その案内壁１７６の先端と、同案内壁１７６に対向する外周段部１７３または内周段部１７４との間には湯水導入部１９が形成されている。そして、流路１７５からの湯水が、前記シャワー孔１８に対して接線方向（周方向）に旋回されながら流入される。
【００１３】
図３、図７、図９及び図１０に示すように、前記外周段部１７３及び内周段部１７４上にはリング部材１６が載置されて、本体１１側の蓋部材１１１によって押さえられている。前記リング部材１６はＡＢＳ樹脂等の合成樹脂製により形成され、図８に示すように、その面板部材１７側の面には各シャワー孔１８の上流側開口内に間隙２９を設けて入り込む断面円錐台状の突出部２０が周方向に一定間隔をおいて設けられている。図７に示すように、これらの突出部２０間、すなわちシャワー孔１８間には、湯水を流路１７５を介して湯水導入部１９へ供給する湯水供給孔２１が開口されている。
【００１４】
また、リング部材１６の外周面には円弧状をなす複数の位置決め凹部２２が形成され、外周壁１７１の内周面に設けられた複数の位置決め凸部２３に係合して、リング部材１６が面板部材１７に位置決め固定されるようになっている。
【００１５】
図６及び図８に示すように、前記シャワー孔１８は、面板部材１７の外面側ほど狭くなるテーパ状に形成されている。また、シャワー孔１８は、その中心軸線ｘが面板部材１７の中心軸線と平行な平行軸線ｙに対して面板部材１７の外面側ほど面板部材１７の外周側に位置するように傾斜している。この面板部材１７の平行軸線ｙに対するシャワー孔１８の中心軸線ｘの傾斜角度αは、好ましくは３〜１０°に設定される。本実施形態では、シャワー孔１８の傾斜角度αは５°に設定されている。
【００１６】
この傾斜角度αが３°に満たない場合には、シャワー孔１８から吐出される湯水の散水範囲を十分に広げることができず、また吐水が肌に強く当たりやすい傾向を示し、シャワーの使用感が悪くなるため好ましくない。その一方、傾斜角度αが１０°を超える場合には、シャワー孔１８から吐出される湯水の散水範囲が広がり過ぎて、所望とするシャワー効果が得られ難くなって好ましくない。
【００１７】
図８に示すように、前記シャワー孔１８の外端部の周囲において面板部材１７の表面には、浅いテーパ状の凹部１８１が形成されている。この凹部１８１における面板部材１７の外周側の内側面には規制面２５が形成されている。この規制面２５により、シャワー孔１８から吐出された湯水の散水範囲が広がり過ぎないよう規制されるようになっている。
【００１８】
また、前記シャワー孔１８の外端部及び規制面２５に連なる散水端面２６は、面板部材１７の外端面２７に対して外周側ほど内側に位置する斜面となっている。面板部材１７の外端面２７に対する散水端面２６の斜状角度βは、好ましくは３〜１０°に設定される。この斜状角度βが３°より小さい場合には、シャワー孔１８から吐出される湯水の散水範囲を広げることが難しくなって好ましくない。一方、斜状角度βが１０°より大きい場合には、シャワー孔１８から吐出される湯水の散水範囲が広がり過ぎる傾向を示して好ましくない。
【００１９】
図２及び図３に示すように、前記面板部材１７のシャワー孔１８より外周部には、シャワー孔１８を囲むように周方向に一定間隔をおいて多数の吐水孔２８が開口されている。この吐水孔２８は前記連通路１５に連通して湯水が吐出されるように構成され、前記シャワー孔１８から散水される湯水を保温するようになっている。なお、吐水孔２８の軸線は、シャワー孔１８の中心軸線ｘとほぼ平行に設定されている。
【００２０】
次に、上記のように構成された本実施形態のシャワーヘッド１０における散水構造の作用を説明する。
さて、図３に示すように、シャワーヘッド１０の面板部材１７のシャワー孔１８から湯水をシャワーとして吐出させる場合には、湯水を本体１１の流路１３及び連通路１５からリング部材１６の湯水供給孔２１を経て面板部材１７の湯水導入部１９へ導く。このとき、図５の矢印に示すように、湯水は一対の案内壁１７６によって案内されることにより、湯水導入部１９から渦巻き状に旋回されながらシャワー孔１８内へ流れ込む。このため、図３及び図８の二点鎖線に示すように、湯水はシャワー孔１８の外端部から広がりながらミスト状になって吐出される。
【００２１】
この場合、図８に示すように、面板部材１７の中心軸線と平行な平行軸線ｙに対するシャワー孔１８の中心軸線ｘの傾斜角度αが５°に設定されている。このため、シャワー孔１８からの湯水の中心は、前記平行軸線ｙの延長線より外周側へ向かうことになる。従って、本実施形態の場合には、シャワー孔１８の中心軸線ｘが前記平行軸線ｙと同じ場合に比べて、肌に対する湯水の当たりが柔らかくなるとともに、シャワー全体としての散水範囲を広げることができる。
【００２２】
また、シャワー孔１８の外端部の周囲には環状の規制面２５が形成されていることから、シャワー孔１８から吐出される湯水のうち外周側の湯水が規制面２５に当たって湯水の広がり過ぎが規制され、湯水の散水範囲が整えられる。
【００２３】
加えて、図２に示すように、面板部材１７のシャワー孔１８より外周部には多数の吐水孔２８がシャワー孔１８の周囲を囲むように設けられ、各吐水孔２８から湯水が吐出されることから、シャワー孔１８から吐出される湯水の周囲の温度が上昇し、シャワー孔１８からの湯水の温度低下が抑えられる。
【００２４】
以上の実施形態により発揮される効果について以下にまとめて記載する。
（１）本実施形態のシャワーヘッド１０における散水構造では、面板部材１７には複数のシャワー孔１８を開口し、面板部材１７の内面にはシャワー孔１８に対して湯水を接線方向に流入させて旋回させる湯水導入部１９を設けた。さらに、シャワー孔１８の中心軸線ｘを面板部材１７の中心軸線と平行な平行軸線ｙに対して面板部材１７の外面側ほど面板部材１７の外周側に位置するように傾斜させた。このため、シャワー孔１８から散水される湯水を旋回流にできるとともに、湯水の散水方向を外周方向へ斜めに設定することができる。従って、体に対して散水される湯水の面積を広げることができるとともに、肌当たりを弱めることができる。
【００２５】
よって、本実施形態のシャワーヘッド１０における散水構造によれば、湯水の散水範囲を広げることができるとともに、湯水による肌当たりを優しくして使用感を向上させることができるという効果を奏する。
【００２６】
（２）前記シャワー孔１８の外端部の周囲には、面板部材１７を切欠くことにより環状の規制面２５が形成されている。このため、湯水の散水範囲を広げることを許容しつつ、湯水の過剰な拡散を抑制することができる。
【００２７】
（３）前記平行軸線ｙに対するシャワー孔１８の中心軸線ｘの傾斜角度αは３〜１０°に設定されている。このため、湯水による肌当たりを良好に維持しながら、湯水の散水範囲を適度に広げることができる。
【００２８】
（４）前記シャワー孔１８は、面板部材１７の外面側ほど狭くなるテーパ状に形成されている。そのため、シャワー孔１８内において湯水の旋回流を形成しやすくすることができる。
【００２９】
（５）前記本体１１と面板部材１７との間にはリング部材１６を介装し、該リング部材１６の面板部材１７側の面にはシャワー孔１８に入り込む突出部２０を備えている。従って、シャワー孔１８に流入する湯水に対して旋回流の生成を促進させることができる。
【００３０】
（６）前記リング部材１６の各突出部２０間には、湯水を面板部材１７内面の湯水導入部１９へ供給する湯水供給孔２１が開口されている。そのため、湯水を湯水導入部１９に対して円滑に供給することができる。
【００３１】
（７）前記面板部材１７のシャワー孔１８より外周部には、シャワー孔１８を囲むように複数の吐水孔２８が開口されている。このため、シャワー孔１８から散水される湯水の温度低下を抑制することができる。
【００３２】
なお、前記各実施形態を次のように変更して実施することも可能である。
・面板部材１７の外面に凸部を形成し、この凸部に前記規制面２５を形成してもよい。
・前記湯水導入部１９をシャワー孔１８の外周側又は内周側のいずれか一方のみにし、他方を省略するように構成してもよい。
【００３３】
・前記シャワー孔１８内に螺旋溝を形成し、シャワー孔１８内において湯水の旋回を促すように構成してもよい。
【符号の説明】
【００３４】
１０…シャワーヘッド、１１…本体、１６…リング部材、１７…面板部材、１８…シャワー孔、１９…湯水導入部、２０…突出部、２１…湯水供給孔、２５…規制面、２８…吐水孔、ｘ…シャワー孔の中心軸線、ｙ…面板部材の中心軸線と平行な平行軸線、α…傾斜角度。
【図１】
2015208527.tif 000003
【図２】
2015208527.tif 000004
【図３】
2015208527.tif 000005
【図４】
2015208527.tif 000006
【図５】
2015208527.tif 000007
【図６】
2015208527.tif 000008
【図７】
2015208527.tif 000009
【図８】
2015208527.tif 000010
【図９】
2015208527.tif 000011
【図１０】
2015208527.tif 000012